(57)【要約】【課題】電子メールを利用して電話帳情報のバックアップを行う場合に、本来の受信メールと電話帳復元用の電子メールとが混在しないようにする。【解決手段】通常用メールアカウントを使用して電子メールの送受信を行う通信端末装置１１は、少なくとも電話番号と電話番号に対応する識別情報とを含むリストからなる電話帳情報１２を記憶する記憶手段１３と、バックアップ送信時に、記憶手段１３に記憶されている電話帳情報１２を示すデータを添付ファイルにした電子メールを通常用メールアカウントとは異なるバックアップ用メールアカウント宛に送信する送信手段１４と、バックアップ受信時に、バックアップ用メールアカウント宛に送信された電子メールを受信する受信手段１５とを備えている。【選択図】図１０
2010170217.tif 000002
【特許請求の範囲】
【請求項１】
通常用メールアカウントを使用して電子メールの送受信を行う通信端末装置であって、
少なくとも電話番号と前記電話番号に対応する識別情報とを含むリストからなる電話帳情報を記憶する記憶手段と、
バックアップ送信時に、前記記憶手段に記憶されている電話帳情報を示すデータを添付ファイルにした電子メールを通常用メールアカウントとは異なるバックアップ用メールアカウント宛に送信する送信手段と、
バックアップ受信時に、前記バックアップ用メールアカウント宛に送信された電子メールを受信する受信手段とを備えた
ことを特徴とする通信端末装置。
【請求項２】
受信手段が受信したバックアップ用メールアカウント宛の電子メールの一覧を表示する表示手段を備え、
記憶手段は、前記表示手段が表示した電子メールの一覧のうち、ユーザが選択した電子メールの添付ファイルが示す電話帳情報を記憶する
請求項１記載の通信端末装置。
【請求項３】
受信手段は、バックアップ用メールアカウント宛に送信された電子メールのうち、差出人がバックアップ用メールアカウントと異なる電子メールを削除する
請求項１または請求項２に記載の通信端末装置。
【請求項４】
日時を計時する計時手段を備え、
記憶手段は、送信日時情報を記憶し、
送信手段は、前記送信日時情報が示す日時と前記計時手段が計時する日時とが一致すると、前記記憶手段に記憶されている電話帳情報を示すデータを添付ファイルにした電子メールをバックアップ用メールアカウント宛に送信する
請求項１から請求項３のうちのいずれか１項に記載の通信端末装置。
【請求項５】
記憶手段は、通信端末装置の各種設定情報を示す端末設定情報を記憶し、
送信手段は、端末設定情報の送信時に、前記記憶手段に記憶されている端末設定情報を示すデータを添付した電子メールをバックアップ用メールアカウント宛に送信し、
受信手段は、端末設定情報の受信時に、前記バックアップ用メールアカウント宛に送信された電子メールを受信する
請求項１から請求項４のうちのいずれか１項に記載の通信端末装置。
【請求項６】
通常用メールアカウントを使用して電子メールの送受信を行う通信端末装置におけるバックアップ方法であって、
少なくとも電話番号と前記電話番号に対応する識別情報とを含むリストからなる電話帳情報を記憶し、
バックアップ送信時に、記憶されている電話帳情報を示すデータを添付ファイルにした電子メールを通常用メールアカウントとは異なるバックアップ用メールアカウント宛に送信し、
バックアップ受信時に、前記バックアップ用メールアカウント宛に送信された電子メールを受信する
ことを特徴とするバックアップ方法。
【請求項７】
受信したバックアップ用メールアカウント宛の電子メールの一覧を表示し、
表示した電子メールの一覧のうち、ユーザが選択した電子メールの添付ファイルが示す電話帳情報を記憶する
請求項６記載のバックアップ方法。
【請求項８】
通常用メールアカウントを使用して電子メールの送受信を行う通信端末装置に内蔵されたコンピュータに、
少なくとも電話番号と前記電話番号に対応する識別情報とを含むリストからなる電話帳情報を記憶する処理と、
バックアップ送信時に、記憶されている電話帳情報を示すデータを添付ファイルにした電子メールを通常用メールアカウントとは異なるバックアップ用メールアカウント宛に送信する処理と、
バックアップ受信時に、前記バックアップ用メールアカウント宛に送信された電子メールを受信する処理とを実行させるための
バックアッププログラム。
【請求項９】
コンピュータに、
受信したバックアップ用メールアカウント宛の電子メールの一覧を表示する処理と、
表示した電子メールの一覧のうち、ユーザが選択した電子メールの添付ファイルが示す電話帳情報を記憶する処理とを実行させるための
請求項８記載のバックアッププログラム。
【発明の詳細な説明】
【技術分野】
【０００１】
本発明は、電話帳情報のバックアップ機能を有する通信端末装置、バックアップ方法およびバックアッププログラムに関する。
【背景技術】
【０００２】
多くの通信端末装置には、電話帳機能が備えられている。通信端末装置の電話帳には、氏名、電話番号および電子メールアドレスなどのデータが記載されており、まとめて電話帳情報として格納されている。ユーザは、電話帳に記載されたデータを利用して簡単に電話や電子メールの発信を行うことができる。
【０００３】
電話帳は便利な機能であるので、事故などによって電話帳情報が失われないように、電話帳情報のバックアップを行うことは重要である。また、電話帳情報に記憶される情報は、新規登録、内容変更または登録削除といった変更が行われるため、ある程度定期的に情報を更新してバックアップする必要もある。
【０００４】
通信端末装置に格納されている電話帳情報をバックアップする方法について、多くの方法が考案されているが、特に、電子メールを利用した方法は多い。
【０００５】
例えば、特許文献１には、ユーザが電話番号リストの新規登録、変更または登録削除を行うと、自動的に電話帳情報の変更内容を電子メールで送信する携帯電話端末が記載されている。
【先行技術文献】
【特許文献】
【０００６】
【特許文献１】特開２００５−０５７４７７号公報（段落００１５、段落１０７−１１２、段落１２４）
【発明の概要】
【発明が解決しようとする課題】
【０００７】
しかし、特許文献１に記載された携帯電話端末は、電子メールを利用して自動的に電話帳情報の変更内容をバックアップする処理を実行するが、パーソナルコンピュータにバックアップ用の電話帳情報を保存させるので、電話帳情報を復元する場合には、例えばパーソナルコンピュータから電話帳情報を添付した電子メールを送信する必要がある。すると、携帯電話端末において、本来の電子メールと電話帳情報が添付された電子メールとが混在してしまう。
【０００８】
そこで、本発明は、本来の受信メールと電話帳復元用の電子メールとが混在しないようにすることができる通信端末装置、バックアップ方法およびバックアッププログラムを提供することを目的とする。
【課題を解決するための手段】
【０００９】
本発明による通信端末装置は、通常用メールアカウントを使用して電子メールの送受信を行う通信端末装置であって、少なくとも電話番号と電話番号に対応する識別情報とを含むリストからなる電話帳情報を記憶する記憶手段と、バックアップ送信時に、記憶手段に記憶されている電話帳情報を示すデータを添付ファイルにした電子メールを通常用メールアカウントとは異なるバックアップ用メールアカウント宛に送信する送信手段と、バックアップ受信時に、バックアップ用メールアカウント宛に送信された電子メールを受信する受信手段とを備えたことを特徴とする。
【００１０】
本発明によるバックアップ方法は、通常用メールアカウントを使用して電子メールの送受信を行う通信端末装置におけるバックアップ方法であって、少なくとも電話番号と電話番号に対応する識別情報とを含むリストからなる電話帳情報を記憶し、バックアップ送信時に、記憶されている電話帳情報を示すデータを添付ファイルにした電子メールを通常用メールアカウントとは異なるバックアップ用メールアカウント宛に送信し、バックアップ受信時に、バックアップ用メールアカウント宛に送信された電子メールを受信することを特徴とする。
【００１１】
本発明によるバックアッププログラムは、通常用メールアカウントを使用して電子メールの送受信を行う通信端末装置に内蔵されたコンピュータに、少なくとも電話番号と電話番号に対応する識別情報とを含むリストからなる電話帳情報を記憶する処理と、バックアップ送信時に、記憶されている電話帳情報を示すデータを添付ファイルにした電子メールを通常用メールアカウントとは異なるバックアップ用メールアカウント宛に送信する処理と、バックアップ受信時に、バックアップ用メールアカウント宛に送信された電子メールを受信する処理とを実行させることを特徴とする。
【発明の効果】
【００１２】
本発明によれば、電子メールを利用して電話帳情報のバックアップを行う場合に、本来の受信メールと電話帳復元用の電子メールとが混在しないようにすることができる。
【図面の簡単な説明】
【００１３】
【図１】本発明による通信端末装置の第１の実施形態（実施形態１）の構成を示すブロック図である。
【図２】図１に示された通信端末装置がバックアップメールを送信する動作を示すフローチャートである。
【図３】図１に示された通信端末装置がバックアップメールを受信する動作を示すフローチャートである。
【図４】本発明による通信端末装置の第２の実施形態（実施形態２）の構成を示すブロック図である。
【図５】図４に示された通信端末装置がバックアップメールを自動的に送信する動作を示すフローチャートである。
【図６】第３の実施形態の通信端末装置が電話帳情報および端末設定情報のバックアップメールを送信する動作を示すフローチャートである。
【図７】第３の実施形態の通信端末装置が電話帳情報および端末設定情報のバックアップメールを受信する動作を示すフローチャートである。
【図８】第４の実施形態の通信端末装置が電話帳情報のバックアップメールを送信する動作を示すフローチャートである。
【図９】第４の実施形態の通信端末装置がバックアップメールを受信する動作を示すフローチャートである。
【図１０】本発明による通信端末装置の主要部を示すブロック図である。
【発明を実施するための形態】
【００１４】
実施形態１．
図１は、本発明による通信端末装置の第１の実施形態（実施形態１）の構成を示すブロック図である。図１を参照して、第１の実施形態の通信端末装置の構成を説明する。
【００１５】
図１に示す通信端末装置は、主制御部１、操作部２、表示部３、記憶部４およびメール制御部５を備えている。
【００１６】
主制御部１は、通信端末装置全体の制御を行う。操作部２は、テンキーや各種機能キーなどを有する。操作部２は、ユーザによる操作に対応した入力信号を出力する。主制御部１は、操作部２から入力した入力信号に対応して通信端末装置を制御する。
【００１７】
表示部３は、主制御部１の制御に従って、液晶ディスプレイに各種設定情報および電子メールの内容などを表示する。記憶部４は、メールアカウントに関するメールアカウント情報および電話番号を含む管理データや電話帳情報などを記憶する。メール制御部５は、インターネット６に接続されている。メール制御部５は、電子メールの作成および送受信などを制御する。なお、本発明による通信端末装置は、通常時に使用する電子メール（通常メール）のメールアカウントの他に、バックアップ時に使用する電子メール（バックアップメール）のメールアカウントを有する。
【００１８】
図２は、図１に示された通信端末装置がバックアップメールを送信する動作を示すフローチャートである。バックアップメールを送信することによって、ユーザは、通信端末装置に記憶されている電話帳情報のバックアップを行うことができる。図２を参照して、バックアップメールを送信する動作を説明する。
【００１９】
まず、ユーザは、操作部２を操作して、通常メール用のメールアカウント情報およびバックアップメール用のメールアカウント情報を予め登録する。登録された通常メール用のメールアカウント情報およびバックアップメール用のメールアカウント情報は、記憶部４に記憶される。このバックアップメール用のメールアカウント情報の登録は、第２〜第４の実施形態の通信端末装置においても同様に事前に行われているとする。
【００２０】
通信端末装置において、ユーザが、操作部２でバックアップメールの送信開始の操作を行うと、操作部２は、バックアップメール送信開始の操作に対応した入力信号を出力する。主制御部１がバックアップメール送信操作を示す入力信号を認識すると（ステップＳ１０１）、メール制御部５は、電子メールの作成を開始する。
【００２１】
メール制御部５は、記憶部４からバックアップメール用のメールアカウントを読み出して、作成する電子メールの送信先に設定する（ステップＳ１０２）。次いで、メール制御部５は、バックアップファイルが添付されていることを表す文言を、作成する電子メールの件名および本文に設定する（ステップＳ１０３）。なお、バックアップファイルが添付されていることを表す文言は、作成する電子メールの件名または本文に設定されるとしてもよい。
【００２２】
次に、メール制御部５は、記憶部４の電話帳情報を格納するエリアから電話帳情報を読み出して、予め定められた形式のファイルにファイル化する。ファイル化の処理は主制御部１で行われるようにしてもよい。そして、メール制御部５は、ファイル化した電話帳情報を、作成する電子メールの添付ファイルとして添付する（ステップＳ１０４）。最後に、メール制御部５は、作成した電子メールをバックアップメール用のメールアカウント宛に送信する（ステップＳ１０５）。
【００２３】
図３は、図１に示された通信端末装置がバックアップメールを受信する動作を示すフローチャートである。バックアップメールを受信することによって、ユーザは、予めバックアップを行っていた場合には、バックアップを行った電話帳情報を復元することができる。図３を参照して、バックアップメールを受信する動作を説明する。
【００２４】
通信端末装置において、ユーザが、操作部２でバックアップメールの受信を指示する操作を行うと、操作部２は、バックアップメールの受信に対応する入力信号を出力する。主制御部１がバックアップメールの受信に対応する入力信号を認識すると（ステップＳ２０１）、メール制御部５は、電子メールの受信を開始する。
【００２５】
メール制御部５は、記憶部４からバックアップメール用のメールアカウントを読み出して、バックアップメール用のメールアカウントで電子メールの受信を行う（ステップＳ２０２）。電子メールの受信が完了すると、主制御部１は、表示部３にバックアップメール用アカウントで受信した電子メールの一覧を表示する（ステップＳ２０３）。
【００２６】
ステップＳ２０３において、ユーザが、表示部３に表示された電子メールの一覧から復元させたい電話帳情報のファイルが添付された電子メールを選択すると、操作部２は、電話帳情報の復元の操作に対応した入力信号を出力する。主制御部１が電話帳情報の復元の操作を示す入力信号を認識すると（ステップＳ２０４）、主制御部１は、選択された電子メールに添付された電話帳情報のファイルの内容を記憶部４の電話帳情報を格納するエリアに書き込む（ステップＳ２０５）。書き込み終了後はステップＳ２０３に戻る。
【００２７】
ステップＳ２０４において、電話帳情報の復元の操作が行われずに、主制御部１が、操作部２で受信メールに関する操作の終了操作が行われたことを認識した場合には（ステップＳ２０６）、通信端末装置は電子メールの受信に関する処理を終了する。
【００２８】
また、主制御部１が、操作部２で通常メール受信に関する操作が行われたことを認識した場合には（ステップＳ２１１）、メール制御部５は、記憶部４から通常メール用のメールアカウントを読み出し、通常メール用のメールアカウントで電子メールの受信を行う（ステップＳ２１２）。ユーザが、表示部３に表示された受信メールに対して操作部２で操作を行うと、主制御部１は、メール本文を表示部３に表示させる等の処理を行う（ステップＳ２１３）。主制御部１は、操作部２で受信メールに関する操作の終了操作が行われたことを認識すると（ステップＳ２１４）、通信端末装置は電子メールの受信に関する処理を終了する。
【００２９】
このような通信端末装置では、電話帳情報のバックアップメールの送受信を通常メール用のメールアカウントとは異なるメールアカウントで行うので、電話帳情報のバックアップメールと通常メールとが混在することがなくなる。ユーザにとって電話帳情報のバックアップメールの判別が容易となり、誤操作によるバックアップメールの削除の可能性を低減することができる。
【００３０】
また、ユーザが電話帳情報のバックアップメールの送信を指示する操作を行った時に、通信端末装置が自動的にバックアップメール用のメールアカウント宛に電話帳情報のバックアップメールを送信するので、手動によるバックアップメールの送信時に発生しうるバックアップメールの誤送信を防止することができる。
【００３１】
さらに、ユーザが電話帳情報の復元を指示する操作を行った時に、通信端末装置が自動的にバックアップメール用のメールアカウントで電話帳情報のバックアップメールを受信するので、ユーザは、通常メールのメールアカウントとは異なるメールアカウントを使用していることを意識する必要がない。
【００３２】
実施形態２．
図４は、本発明による通信端末装置の第２の実施形態（実施形態２）の構成を示すブロック図である。図４に示す通信端末装置は、図１に示された第１の実施形態の通信端末装置の構成に、計時部７が追加された構成になっている。計時部７は、日時の計時機能を有する。
【００３３】
図５は、図４に示された通信端末装置がバックアップメールを自動的に送信する動作を示すフローチャートである。第２の実施形態の通信端末装置は、ユーザが予め設定した日時になると、自動的に電話帳情報のバックアップメールを送信する。図５を参照して、バックアップメールを自動的に送信する動作を示す。
【００３４】
まず、ユーザは、操作部２を操作して、電話帳情報のバックアップメールを自動送信する日時を送信日時情報として予め設定する。登録された送信日時情報は、記憶部４に記憶される。なお、送信日時情報には、１度きりの時刻（例えば、２００９年１月１日１０：００など）を登録しても、定期的に繰り返される時間（例えば、毎月１日の１２：００など）を登録してもよい。
【００３５】
主制御部１は、計時部７が計時する日時と、記憶部４に記憶されている送信日時情報が示す日時との一致を検出すると、電話帳情報のバックアップメールの送信処理を開始する（ステップＳ１１１）。
【００３６】
ステップＳ１１１において、電話帳情報のバックアップメールの送信処理を開始した後の動作（図５に示されたステップＳ１０１〜Ｓ１０５に相当）は、図２に示されたステップＳ１０１〜Ｓ１０５における動作と同じである。
【００３７】
このような通信端末装置は、設定された日時に自動的に電話帳情報のバックアップメールをバックアップメール用のメールアカウント宛に送信するので、ユーザの利便性を向上させることができる。
【００３８】
実施形態３．
本発明による通信端末装置の第３の実施形態（実施形態３）を説明する。第３の実施形態の通信端末装置の構成は、図１に示された構成または図４に示された構成と同じである。
【００３９】
図６は、第３の実施形態の通信端末装置が電話帳情報および端末設定情報のバックアップメールを送信する動作を示すフローチャートである。第３の実施形態の通信端末装置は、バックアップを行う対象に、電話帳情報の他に、発着信通知設定や発信先制限設定などの端末設定情報を加えることができる。図６を参照して、第３の実施形態の通信端末装置がバックアップメールを送信する動作を説明する。
【００４０】
ユーザがバックアップメールの送信開始の操作を行い（ステップＳ１０１）、メール制御部５がバックアップ用の電子メールの送信先および件名および本文の設定を行って（ステップＳ１０２およびＳ１０３）、電話帳情報をファイル化して添付ファイルとする（ステップＳ１０４）動作は、図２に示されたステップＳ１０１〜Ｓ１０４の動作と同じである。
【００４１】
ステップＳ１０４において、電話帳情報をファイル化して添付ファイルにすると、メール制御部５は、記憶部４の端末設定情報を格納するエリアから端末設定情報を読み出して、予め定められた形式のファイルにファイル化する。ファイル化の処理を主制御部１が行うようにしてもよい。そして、メール制御部５は、ファイル化した端末設定情報を、作成する電子メールの添付ファイルとして添付する（ステップＳ１２１）。なお、電話帳情報および端末設定情報を１つの添付ファイルにファイル化してもよい。最後に、メール制御部５は、作成した電子メールをバックアップメール用のメールアカウントに送信する（ステップＳ１０５）。
【００４２】
図７は、第３の実施形態の通信端末装置が電話帳情報および端末設定情報のバックアップメールを受信する動作を示すフローチャートである。図７を参照して、第３の実施形態の通信端末装置がバックアップメールを受信する動作を説明する。
【００４３】
ユーザがバックアップメールの受信の操作を行って（ステップＳ２０１）、バックアップメール用のメールアカウントで電子メールを受信し（ステップＳ２０２）、ユーザが受信した電子メールの一覧から電話帳情報を復元する電子メールを選択すると添付ファイルの電話帳情報を書き込む（ステップＳ２０３〜Ｓ２０５）動作は、図３に示されたステップＳ２０１〜Ｓ２０５の動作と同じである。
【００４４】
第３の実施形態では、主制御部１は、ユーザが操作部２に端末設定情報の復元を指示する操作を行うか否か確認する（ステップＳ２２１）。ステップＳ２２１において、主制御部１が、端末設定情報の復元を指示する操作に対応して操作部２から出力される入力信号を認識すると、主制御部１は、選択された電子メールに添付された端末設定情報のファイルの内容を記憶部４の端末設定情報を格納するエリアに書き込む（ステップＳ２２２）。書き込み終了後はステップＳ２０３に戻る。
【００４５】
主制御部１が、操作部２で受信メールに関する操作の終了操作が行われたことを認識した場合には（ステップＳ２０６）、通信端末装置はメール受信に関する処理を終了する。
【００４６】
また、主制御部１およびメール制御部５による通常メール受信に関する処理（図７に示されたステップＳ２１１〜Ｓ２１４に相当）は、図３に示されたステップＳ２１１〜Ｓ２１４の処理と同じである。
【００４７】
なお、バックアップメールの送信時に、電話帳情報および端末設定情報を１つの添付ファイルにファイル化していた場合には、電話帳情報を復元する際（ステップＳ２０５）および端末設定情報を復元する際（ステップＳ２２２）に、１つの添付ファイルから電話帳情報および端末設定情報のそれぞれを読み出せばよい。
【００４８】
このような通信端末装置では、ユーザは電話帳情報に加えて端末設定情報のバックアップも行われるので、ユーザの利便性を向上させることができる。
【００４９】
実施形態４．
本発明による通信端末装置の第４の実施形態（実施形態４）を説明する。第４の実施形態の通信端末装置の構成は、図１に示された構成または図４に示された構成と同じである。
【００５０】
図８は、第４の実施形態の通信端末装置が電話帳情報のバックアップメールを送信する動作を示すフローチャートである。第４の実施形態の通信端末装置は、バックアップメールの受信を行う際に、差出人がバックアップメール用のメールアカウントではない場合には、その電子メールはバックアップメールではないと判断して自動的に消去する。図８を参照して、第４の実施形態の通信端末装置がバックアップメールを送信する動作を説明する。
【００５１】
ユーザがバックアップメールの送信開始の操作を行い（ステップＳ１０１）、メール制御部５がバックアップ用の電子メールの送信先および件名および本文の設定を行う（ステップＳ１０２およびＳ１０３）動作は、図２に示されたステップＳ１０１〜Ｓ１０３の動作と同じである。
【００５２】
ステップＳ１０３において、作成する電子メールの件名および本文の設定が終わると、メール制御部５は、作成する電子メールの差出人にもバックアップメール用のメールアカウントを設定する（ステップＳ１３１）。次に、メール制御部５は、図２に示されたステップＳ１０４およびＳ１０５の動作と同様に、記憶部４の電話帳情報を格納するエリアから電話帳情報を読み出して、予め定められた形式のファイルにファイル化して添付し（ステップＳ１０４）、作成した電子メールをバックアップメール用のメールアカウントに送信する（ステップＳ１０５）。
【００５３】
図９は、第４の実施形態の通信端末装置がバックアップメールを受信する動作を示すフローチャートである。図９を参照して、バックアップメールを受信する動作を説明する。
【００５４】
通信端末装置において、ユーザからバックアップメールの受信の操作が行われると（ステップＳ２０１）、メール制御部５は、記憶部４からバックアップメール用のメールアカウントを読み出して、バックアップメール用のメールアカウントで電子メールの受信を行う（ステップＳ２０２）。
【００５５】
次に、メール制御部５は、受信した電子メールの差出人がバックアップメール用のメールアカウントであるか否かを確認し、バックアップメール用のメールアカウントが差出人ではない受信メールを消去する（ステップＳ２３１）。
【００５６】
メール制御部５は、バックアップメール用のメールアカウントを差出人とする受信メールだけを受信メールの一覧に表示する（ステップＳ２０３）。
【００５７】
ステップＳ２０３以降の復元の動作（図９に示されたステップＳ２０３〜Ｓ２０６に相当）は、図３に示されたステップＳ２０３〜２０６の動作と同じである。また、ステップＳ２０１においてバックアップメールの受信の操作が行われなかった場合に、主制御部１およびメール制御部５による通常メール受信に関する処理（図９に示されたステップＳ２１１〜Ｓ２１４に相当）は、図３に示されたステップＳ２１１〜Ｓ２１４の処理と同じである。
【００５８】
このような通信端末装置では、バックアップメール用のメールアカウントを差出人とする電子メール以外は自動的に削除されるので、例えば、無作為に送信先を選んで送信される迷惑メールなどがバックアップメール用のメールアカウント宛に送信された場合でも、ユーザは必要とするバックアップメールを容易に受信メールの一覧から選択することができる。
【００５９】
なお、本発明による通信端末装置は、第１の実施形態から第４の実施形態のうちの複数の実施形態を組み合わせて実現することも可能である。そのような通信端末装置は、それぞれの実施形態の通信端末装置が奏する効果を合わせ持つことができる。
【００６０】
図１０は、本発明による通信端末装置の主要部を示すブロック図である。図１０に示すように、通信端末装置１１は、通常用メールアカウントを使用して電子メールの送受信を行う通信端末装置であって、少なくとも電話番号と電話番号に対応する識別情報とを含むリストからなる電話帳情報１２を記憶する記憶手段１３（例えば、図１に示す記憶部４に相当）と、バックアップ送信時に、記憶手段１３に記憶されている電話帳情報１２を示すデータを添付ファイルにした電子メールを通常用メールアカウントとは異なるバックアップ用メールアカウント宛に送信する送信手段１４（例えば、図１に示すメール制御部５に相当）と、バックアップ受信時に、バックアップ用メールアカウント宛に送信された電子メールを受信する受信手段１５（例えば、図１に示すメール制御部５に相当）とを備えたことを特徴とする。
【００６１】
また、上記の各実施形態の通信端末装置には、以下の（１）〜（４）に示すような通信端末装置も開示されている。
【００６２】
（１）受信手段が受信したバックアップ用メールアカウント宛の電子メールの一覧を表示する表示手段（例えば、図１に示す表示部３に相当）を備え、記憶手段は、表示手段が表示した電子メールの一覧のうち、ユーザが選択した電子メールの添付ファイルが示す電話帳情報を記憶する通信端末装置（例えば、第１の実施形態におけるステップＳ２０３〜Ｓ２０５の動作によって実現される。）。そのように構成された通信端末装置では、ユーザは、復元を希望する電話帳情報をバックアップ用メールの一覧表示から容易に選択することができる。
【００６３】
（２）受信手段は、バックアップ用メールアカウント宛に送信された電子メールのうち、差出人がバックアップ用メールアカウントと異なる電子メールを削除する通信端末装置（例えば、第４の実施形態におけるステップＳ２３１の動作によって実現される。）。そのように構成された通信端末装置では、バックアップメール用のメールアカウントを差出人とするメール以外は自動的に削除するので、例えば、無作為に送信先を選んで送信される迷惑メールなどがバックアップメール用のメールアカウント宛に送信された場合でも、ユーザは必要とするバックアップメールを容易に受信メールの一覧から選択することができる。
【００６４】
（３）日時を計時する計時手段を備え、記憶手段は、送信日時情報を記憶し、送信手段は、送信日時情報が示す日時と計時手段が計時する日時とが一致すると、記憶手段に記憶されている電話帳情報を示すデータを添付ファイルにした電子メールをバックアップ用メールアカウント宛に送信する通信端末装置（例えば、第２の実施形態におけるステップＳ１１１およびステップＳ１０２〜Ｓ１０５の動作によって実現される。）。そのように構成された通信端末装置では、設定された日時に自動的に電話帳情報のバックアップメールがバックアップメール用のメールアカウント宛に送信されるので、ユーザの利便性を向上させることができる。
【００６５】
（４）記憶手段は、通信端末装置の各種設定情報を示す端末設定情報を記憶し、送信手段は、端末設定情報の送信時に、記憶手段に記憶されている端末設定情報を示すデータを添付した電子メールをバックアップ用メールアカウント宛に送信し、受信手段は、端末設定情報の受信時に、バックアップ用メールアカウント宛に送信された電子メールを受信する通信端末装置（例えば、第３の実施形態におけるステップＳ１２１およびステップＳ１０１〜Ｓ１０５の動作によって実現される。）。そのように構成された通信端末装置では、ユーザは電話帳情報に加えて端末設定情報のバックアップも行われるので、ユーザの利便性を向上させることができる。
【産業上の利用可能性】
【００６６】
本発明は、電話機、携帯電話機および電話機能付きファクシミリといった通信端末装置に適用可能である。
【符号の説明】
【００６７】
１    主制御部
２    操作部
３    表示部
４    記憶部
５    メール制御部
６    インターネット
１１  通信端末装置
１２  電話帳情報
１３  記憶手段
１４  送信手段
１５  受信手段
【図１】
2010170217.tif 000003
【図２】
2010170217.tif 000004
【図３】
2010170217.tif 000005
【図４】
2010170217.tif 000006
【図５】
2010170217.tif 000007
【図６】
2010170217.tif 000008
【図７】
2010170217.tif 000009
【図８】
2010170217.tif 000010
【図９】
2010170217.tif 000011
【図１０】
2010170217.tif 000012